(57)【要約】【課題】  スルー画像表示と撮影後の静止画像の再生表示との間の切換えを、適切に実行可能な撮像装置を提供する。【解決手段】  ステップＳ１８でジャイロ２２から角度変化信号Ｓ１が入力されるまで待機し、ジャイロ２２から角度変化信号Ｓ１が入力されると、ステップＳ２０で表示制御部５４へ表示をポストビュー表示へ切換える旨の指示が出力される。これによりＬＣＤ１８へ取り込まれた静止画像が表示される。ステップＳ２２でさらにジャイロ２２から角度変化信号Ｓ１が入力されるまで待機し、角度変化信号Ｓ１が入力されると、ステップＳ２４で表示制御部５４へ表示をスルー画像表示へ切換える旨の指示が出力される。これによりＬＣＤ１８へスルー画像が表示される。【選択図】  図４
2005286986.tif 000002
【特許請求の範囲】
【請求項１】
所定のフレームレートで取り込まれる画像データを連続表示するスルー画像表示、及び、撮影後の静止画像の再生表示、を実行可能とされた表示部と、
前記表示部の所定量以上の角度変化を検出可能な角度変化検出手段と、
前記角度変化検出手段により前記表示部の所定量以上の角度変化が検出された場合には、前記スルー画像表示と前記再生表示との間の表示切換えを実行する第１表示切換え手段と、
を備えた撮像装置。
【請求項２】
前記表示部で再生表示がされた後、所定時間の間前記角度検出手段で前記角度変化が検出されない場合には、前記表示部での表示を再生表示からスルー画像表示に切換える時間切換え手段、をさらに備えた請求項１に記載の撮像装置。
【請求項３】
所定のフレームレートで取り込まれる画像データを連続表示するスルー画像表示、及び、撮影後の静止画像の再生表示、を実行可能とされた表示部と、
前記表示部が再生表示要求範囲内の方向を向いているかどうかを検出可能な方向検出手段と、
前記方向検出手段により、前記表示部が再生表示要求範囲内の方向を向いていると検出された場合にはこの表示部に前記再生画像を表示させ、前記表示部が再生表示要求範囲内の方向を向いていないと検出された場合にはこの表示部に前記スルー画像を表示させる第２表示切換え手段と、
を備えた撮像装置。
【請求項４】
前記再生表示要求範囲内の方向は、前記表示部が水平方向から６０度以内の角度とされる方向であることを特徴とする請求項３に記載の撮像装置。
【請求項５】
前記表示部で再生表示がされた後、所定時間以上前記方向検出手段で前記再生表示要求範囲内の方向が検出されない場合には、前記表示部での表示を再生表示からスルー画像表示に切換える時間切換え手段、をさらに備えた請求項３または請求項４に記載の撮像装置。
【請求項６】
撮像装置本体と、
前記撮像装置本体に備えられ、所定のフレームレートで取り込まれる画像データを連続表示するスルー画像表示、及び、撮影後の静止画像の再生表示、を実行可能とされた表示部と、
前記撮像装置本体が所定の再生確認範囲内の姿勢かどうかを検出可能な姿勢検出手段と、
前記姿勢検出手段により、前記撮像装置本体が前記再生確認範囲内の姿勢であると検出された場合には前記表示部に前記再生画像を表示させ、前記撮像装置本体が前記再生確認範囲内の姿勢でないと検出された場合には前記表示部に前記スルー画像を表示させる第３表示切換え手段と、
を備えた撮像装置。
【請求項７】
前記再生確認範囲内の姿勢は、前記表示部が水平方向から６０度以内の角度とされる姿勢であることを特徴とする請求項６に記載の撮像装置。
【請求項８】
前記表示部で再生表示がされた後、所定時間以上前記姿勢検出手段で前記再生確認範囲内の姿勢が検出されない場合には、前記表示部での表示を再生表示からスルー画像表示に切換える時間切換え手段、をさらに備えた請求項６または請求項７に記載の撮像装置。
【発明の詳細な説明】
【技術分野】
【０００１】
本発明は、撮像装置に係り、特に、所定のフレームレートで取り込まれる画像データを動画像的に連続表示するスルー画像表示、及び、撮影後の静止画像の再生表示、を表示可能とされた表示部を有する撮像装置に関する。
【背景技術】
【０００２】
現在市販されているデジタルカメラなどの撮像装置には、撮影した直後に表示部へ撮影した静止画像を表示させる、いわゆるポストビュー（レックビュー）機能が搭載されている。このポストビューが表示される時間は通常１〜３秒であり、ユーザーが自由にそれ以上の時間を設定できるものもある。ユーザーは、長時間のポストビューを望む場合もあれば、短時間のポストビューでよい場合もある。しかしながら、現在の技術では、設定の変更を行わなければポストビュー時間の変更を行うことはできず、不便である。
【０００３】
一方、特許文献１には、カメラの傾きを検出して縦位置撮影であることの判断を行い、縦位置撮影の場合に再生表示を縦横変換して表示する技術が開示されている。しかしながら、特許文献１には、スルー画像表示と撮影後の静止画像の再生表示との間の切換えについての記載はされていない。
【特許文献１】特開平１１−２６１８９１号公報
【発明の開示】
【発明が解決しようとする課題】
【０００４】
本発明は、上記事実を考慮して成されたものであり、スルー画像表示と撮影後の静止画像の再生表示との間の切換えを、適切に実行可能な撮像装置を提供することを目的とする。
【課題を解決するための手段】
【０００５】
上記課題を解決するために、請求項１に記載の撮像装置は、所定のフレームレートで取り込まれる画像データを連続表示するスルー画像表示、及び、撮影後の静止画像の再生表示、を実行可能とされた表示部と、前記表示部の所定量以上の角度変化を検出可能な角度変化検出手段と、前記角度変化検出手段により前記表示部の所定量以上の角度変化が検出された場合には、前記スルー画像表示と前記再生表示との間の表示切換えを実行する第１表示切換え手段と、を含んで構成されている。
【０００６】
通常、撮像装置では、撮影時には表示部に、所定のフレームレートで取り込まれる画像データを動画像的に連続表示するスルー画像表示がなされ、静止画像の取り込み後に当該静止画像の再生表示が行われる。ところが、この静止画像の再生表示は、ユーザーの意志とは関係なく、静止画像の取り込み後一定時間の間に行われる。
【０００７】
ところで、ユーザーは、被写体を撮影する時には撮像レンズを被写体に向け、撮影後に撮影した画像を確認するときには撮像装置の表示部を見やすい位置に移動させる。この表示部の移動には、所定量以上の角度変化を伴っているのが一般的である。
【０００８】
そこで、上記の撮像装置では、角度変化検出手段により表示部の所定量以上の角度変化が検出された場合には、第１表示切換え手段により、スルー画像表示と再生表示との間の表示切り換えを実行する。これにより、ユーザーは、撮影後に所定量以上表示部を角度変化させることにより、撮影後の静止画像を表示部に表示させることができ、さらに、所定量以上表示部を角度変化させることにより、静止画像の表示を終了してスルー画像表示に切換えることができる。したがって、スルー画像表示と撮影後の静止画像の再生表示との間の切換えを、表示部の傾斜を変化させるという簡易な動作に応じて適切に実行することができる。
【０００９】
なお、本発明の撮像装置は、請求項２に記載のように、前記表示部で再生表示がされた後、所定時間の間前記角度検出手段で前記角度変化が検出されない場合には、前記表示部での表示を再生表示からスルー画像表示に切換える時間切換え手段、をさらに含んで構成することもできる。
【００１０】
時間切換え手段は、所定時間の間、角度検出手段で角度変化が検出されない場合には、表示部での表示を再生表示からスルー画像表示に切換える。これにより、表示部に所定量以上角度変化がなかった場合でも、自動的にスルー画像に切換えることができる。
【００１１】
請求項３に記載の撮像装置は、所定のフレームレートで取り込まれる画像データを連続表示するスルー画像表示、及び、撮影後の静止画像の再生表示、を実行可能とされた表示部と、前記表示部が再生表示要求範囲内の方向を向いているかどうかを検出可能な方向検出手段と、前記方向検出手段により、前記表示部が再生表示要求範囲内の方向を向いていると検出された場合にはこの表示部に前記再生画像を表示させ、前記表示部が再生表示要求範囲内の方向を向いていないと検出された場合にはこの表示部に前記スルー画像を表示させる第２表示切換え手段と、を含んで構成されている。
【００１２】
前述のように、ユーザーは、被写体を撮影する時には撮像レンズを被写体に向け、撮影後に撮影した画像を確認するときには撮像装置の表示部を見やすい位置に移動させる。通常、ユーザーにとって表示部の見やすい位置は、表示部が一定の範囲内の方向を向いている位置である。
【００１３】
そこで、請求項３の撮像装置では、前述の一定の範囲内の方向を再生表示要求範囲内とし、方向検出手段により表示部が再生表示要求範囲内の方向を向いているかどうかを検出する。そして、第２表示切換え手段は、表示部が再生表示要求範囲内の方向を向いていると検出された場合には表示部に再生画像を表示させ、表示部が再生表示要求範囲内の方向を向いていないと検出された場合には表示部にスルー画像を表示させる。これにより、ユーザーは、撮影後に表示部を再生表示要求範囲内に向けることにより、撮影後の静止画像を表示部に表示させることができ、表示部を再生表示要求範囲外に向けることにより、表示部にスルー画像表示を実行させることができる。したがって、スルー画像表示と撮影後の静止画像の再生表示との間の切換えを、ユーザーが向ける表示部の方向によって適切に実行することができる。
【００１４】
なお、請求項３の撮像装置は、請求項４に記載のように、前記再生表示要求範囲内の方向を、前記表示部が水平方向から６０度以内の角度とされる方向とすることを特徴とすることもできる。
【００１５】
ユーザーが表示部で静止画像の再生表示を確認する場合には、表示部が水平方向から６０度以内の角度とされていることが多い。そこで、上記撮像装置では、表示部が水平方向から６０度以内の角度の方向を向いているかどうかを検出し、この方向を向いていると検出された場合には表示部に再生画像を表示させ、この方向を向いていないと検出された場合には表示部にスルー画像を表示させる。これにより、ユーザーは、撮影後に表示部を水平方向から６０度以内の角度に向けることにより、撮影後の静止画像を表示部に表示させることができ、表示部を水平方向から６０度より大きい角度に向けることにより、表示部にスルー画像表示を実行させることができる。
【００１６】
なお、請求項３及び請求項４の撮像装置は、請求項５に記載のように、前記表示部で再生表示がされた後、所定時間以上前記方向検出手段で前記再生表示要求範囲内の方向が検出されない場合には、前記表示部での表示を再生表示からスルー画像表示に切換える時間切換え手段、をさらに含んで構成することもできる。
【００１７】
時間切換え手段は、所定時間の間、方向検出手段で再生表示要求範囲内の方向が検出されない場合には、表示部での表示を再生表示からスルー画像表示に切換える。これにより、表示部が再生表示要求範囲内の方向に向けられなかった場合でも、自動的にスルー画像に切換えることができる。
【００１８】
請求項６に記載の撮像装置は、撮像装置本体と、所定のフレームレートで取り込まれる画像データを連続表示するスルー画像表示、及び、撮影後の静止画像の再生表示、を実行可能とされた表示部と、前記撮像装置本体が再生確認範囲内の姿勢かどうかを検出可能な姿勢検出手段と、前記姿勢検出手段により、前記撮像装置本体が再生確認範囲内の姿勢であると検出された場合には前記表示部に前記再生画像を表示させ、前記撮像装置本体が再生確認範囲内の姿勢でないと検出された場合には前記表示部に前記スルー画像を表示させる第３表示切換え手段と、を含んで構成されている。
【００１９】
前述のように、ユーザーは、被写体を撮影する時には撮像レンズを被写体に向け、撮影後に撮影した画像を確認するときには撮像装置の表示部が見やすい位置となるように撮像装置本体を移動させる。通常、ユーザーにとって表示部の見やすい位置は、撮像装置本体が所定範囲内の姿勢にされている位置である。
【００２０】
そこで、請求項６の撮像装置では、前述の所定範囲内の姿勢を再生確認範囲内とし、姿勢検出手段により撮像装置本体が再生確認範囲内の姿勢であるかどうかを検出する。そして、第３表示切換え手段は、撮像装置本体が再生確認範囲内の姿勢であると検出された場合には表示部に再生画像を表示させ、撮像装置本体が再生確認範囲内の姿勢でないと検出された場合には表示部にスルー画像を表示させる。これにより、ユーザーは、撮影後に撮像装置本体を再生確認範囲内の姿勢にすることにより、撮影後の静止画像を表示部に表示させることができ、撮像装置本体を再生確認範囲外の姿勢にすることにより、表示部にスルー画像表示を実行させることができる。したがって、スルー画像表示と撮影後の静止画像の再生表示との間の切換えを、撮像装置本体の姿勢によって適切に実行することができる。
【００２１】
なお、請求項６の撮像装置は、請求項７に記載のように、前記再生確認範囲内の方向を、前記表示部が水平方向から６０度以内の角度とされる姿勢とすることを特徴とすることもできる。
【００２２】
ユーザーが表示部で静止画像の再生表示を確認する場合には、表示部が水平方向から６０度以内の角度とされていることが多い。そこで、上記撮像装置では、撮像装置本体に備えられた表示部が水平方向から６０度以内の角度であるかどうかを検出し、この角度であると検出された場合には表示部に再生画像を表示させ、この角度でないと検出された場合には表示部にスルー画像を表示させる。これにより、ユーザーは、撮影後に表示部を水平方向から６０度以内の角度とすることにより、撮影後の静止画像を表示部に表示させることができ、表示部を水平方向から６０度より大きい角度とすることにより、表示部にスルー画像表示を実行させることができる。
【００２３】
なお、請求項６及び請求項７の撮像装置は、請求項８に記載のように、前記表示部で再生表示がされた後、所定時間以上前記姿勢検出手段で前記再生確認範囲内の姿勢が検出されない場合には、前記表示部での表示を再生表示からスルー画像表示に切換える時間切換え手段、をさらに含んで構成することもできる。
【００２４】
時間切換え手段は、所定時間の間、姿勢検出手段で再生確認範囲内の姿勢が検出されない場合には、表示部での表示を再生表示からスルー画像表示に切換える。これにより、撮像装置本体が再生確認範囲内の姿勢とされなかった場合でも、自動的にスルー画像に切換えることができる。
【発明の効果】
【００２５】
以上説明したように、本発明の撮像装置によれば、スルー画像表示と撮影後の静止画像の再生表示との間の切換えを、適切に実行することができる。
【発明を実施するための最良の形態】
【００２６】
［第１実施形態］
以下、図面を参照して本発明の撮像装置の第１実施形態について説明する。本実施形態では、撮像装置としてデジタルカメラを例に説明する。
【００２７】
本実施形態のデジタルカメラ１０は、図１（Ａ）に示すように、筐体１２を備え、前面にレンズ１４、上面にレリーズボタン１６を備える。また、図１（Ｂ）に示すように、背面に液晶ディスプレイ（以下「ＬＣＤ」という）１８、ファインダ２０、電源ＳＷ２４、及び、その他各種の入力を行うための複数の入力キー２６を備える。
【００２８】
ＬＣＤ１８には、所定のフレームレートでデジタルカメラ１０に取り込まれる画像データを動画像的に連続表示するスルー画像表示、撮影後の静止画像の再生表示（以下「ポストビュー表示」という）、後述する外部メモリ６０に記録されている画像表示、その他各種のメニュー画面、メッセージなどが表示可能とされている。
【００２９】
また、本実施の形態では、レリーズボタン１６が押下されると、ＡＥ（Automatic Exposure、自動露出）機能が働いて露出状態（シャッタースピード、絞りの状態）が設定された後、ＡＦ（Auto Focus、自動合焦）機能が働いて合焦制御され、その後、露光（撮影）が行われる。
【００３０】
図２にデジタルカメラ１０の制御系の概略ブロック図を示す。デジタルカメラ１０には、レンズ１４を通過する光量を調整する絞り３２、光の通過時間を調整するシャッタ３４、及び、光を光電変換してアナログ画像信号を出力するＣＣＤ３６が備えられている。
【００３１】
ＣＣＤ３６はアナログ信号処理部３８と接続され、アナログ信号処理部２８はアナログ／デジタル変換器（以下、「Ａ／Ｄ変換器」という）４０と接続され、Ａ／Ｄ変換器４０はデジタル信号処理部４２と接続されている。アナログ信号処理部３８は、ＣＣＤ３６から入力された信号に対して所定のアナログ信号処理を施す。Ａ／Ｄ変換器４０は、アナログ信号処理部３８から入力されたアナログ信号をデジタル信号に変換してデジタル信号処理部４２へ出力する。デジタル信号処理部３２は、入力されたデジタル信号に対して各種の処理を行い、デジタル画像データを生成する。
【００３２】
また、デジタルカメラ１０には、ＣＰＵ５０、内部メモリ５２、表示制御部５４、記録制御部５６、及び、圧縮／伸張部５８が備えられている。前述のデジタル信号処理部３２、ＣＰＵ５０、内部メモリ５２、表示制御部５４、記録制御部５６、及び、圧縮／伸張部５８は、バス５９を介して相互に接続されている。
【００３３】
ＣＰＵ５０は各種のプログラムを実行するなどしてデジタルカメラ１０全体の制御を行う。ＣＰＵ５０は、電源ＳＷ２４、入力キー２６、レリーズボタン１６と接続されており、これらの各部から各種の指示が入力される。また、ＣＰＵ５０はジャイロ２２と接続されている。ジャイロ２２は、図３に示すように、所定量α°以上のＬＣＤ１８の上下方向の角度変化が生じたかどうかの角度変化を検知可能とされ、所定量α°以上の角度変化を検知すると角度変化が生じた旨を示す角度変化信号Ｓ１をＣＰＵ５０へ出力する。
【００３４】
内部メモリ５２にはデジタル信号処理部４２で生成されたデジタル画像データ、デジタルカメラ１０の制御用の各種プログラム等が記憶されている。記録制御部５６は外部メモリ６０と接続可能とされており、外部メモリ６０へデジタル画像データを書き込む処理、及び、外部メモリ６０からデジタル画像データを読出す処理を実行可能とされている。表示制御部５４はＬＣＤ１８と接続されており、ＬＣＤ１８へ画像等を表示するための所定の処理を行う。
【００３５】
さらに、デジタルカメラ１０には、レンズ１４を駆動させるためのレンズ駆動部６２、絞り３２を駆動させるための絞り駆動部６４、シャッタ３４を駆動させるためのシャッタ駆動部５６、及び、ＣＣＤ３６に対する撮影時のタイミング制御を行うＣＣＤ制御部６８が備えられている。レンズ駆動部６２、絞り駆動部６４、シャッタ駆動部６６、及び、ＣＣＤ制御部６８は、ＣＰＵ５０と接続されている。
【００３６】
次に、本実施形態の作用について説明する。
【００３７】
ユーザーがデジタルカメラ１０で被写体を撮影する際には、まず、電源ＳＷ２４から電源オンを入力する。これにより、デジタルカメラ１０の電源がオンされ、ＣＰＵ５０からレンズ駆動部６２へレンズ駆動の指示がなされ、レンズ１４が筐体１２の外側へ突出される。
【００３８】
また、ＣＰＵ５０からＣＣＤ制御部５８へＣＣＤ制御の指示がなされ、ＣＣＤ３６は所定のタイミングで被写体からの光を受け取って光電変換し、光電変換して得られるアナログ信号をアナログ信号処理部３８へ出力する。アナログ信号処理部３８では雑音除去などの所定の処理が行われ、処理後の信号がＡ／Ｄ変換器４０へ出力される。Ａ／Ｄ変換器４０で、アナログ信号はデジタル信号に変換され、デジタル信号がデジタル信号処理部４２へ出力される。デジタル信号処理部４２では入力されたデジタル信号に所定の処理が加えられ、デジタル画像データが生成される。上述したＣＣＤ制御指示からデジタル画像データの生成までの処理が本発明での「画像の取り込み」である。画像の取り込みによって得られたデジタル画像データは、内部メモリ５２に記憶され、さらに、表示制御部５４へ出力され、表示制御部５４により所定の処理が行われて、デジタル画像データに基づく画像がＬＣＤ１８に所定のフレームレートで動画像的に連続表示される。
【００３９】
そして、レリーズボタンが押下されると、ＣＰＵ５０では、図４に示す第１撮像表示切換処理が実行される。まず、ステップＳ１２でＡＥ処理が行われ、ステップＳ１４でＡＦ処理が行われる。そして、ステップＳ１６で露光処理が行われて静止画像が取り込まれる。このとき、ＬＣＤ１８には、スルー画像が表示されている。ステップＳ１８でジャイロ２２から角度変化信号Ｓ１が入力されるまで待機する。ユーザーは、静止画像の確認を行いたい場合にはＬＣＤ１８の上下方向の角度を所定量以上変化させる。ＬＣＤ１８の上下方向の所定量以上の角度変化によりジャイロ２２からＣＰＵ５０へ角度変化信号Ｓ１が入力される。角度変化信号Ｓ１が入力されるとステップＳ２０で表示制御部５４へ表示をポストビュー表示へ切換える旨の指示が出力される。これによりＬＣＤ１８へ取り込まれた静止画像が表示される。ユーザーは、これにより静止画像を確認することができる。ステップＳ２２でさらにジャイロ２２から角度変化信号Ｓ１が入力されるまで待機する。ユーザーは、静止画像の確認を継続したい場合にはＬＣＤ１８の上下方向の角度を維持したままとし、確認を終了したい場合にはＬＣＤ１８の上下方向の角度を所定量以上変化させる。ＬＣＤ１８の上下方向の所定量以上の角度変化によりジャイロ２２からＣＰＵ５０へ角度変化信号Ｓ１が出力される。角度変化信号Ｓ１が入力されるとステップＳ２４で表示制御部５４へ表示をスルー画像表示へ切換える旨の指示が出力される。これによりＬＣＤ１８へスルー画像が表示される。
【００４０】
本実施形態によれば、スルー画像表示とポストビュー表示との間の切換えを、ＬＣＤ１８の所定量以上の角度変化を検出することで行うので、ユーザーは、ＬＣＤ１８の角度を維持すれば現在の表示（スルー画像表示、または、ポストビュー表示）を維持でき、ＬＣＤ１８の角度を所定量以上変化させればスルー画像表示はポストビュー表示へ、ポストビュー表示はスルー画像表示へ、切換えることができる。
【００４１】
［第２実施形態］
次に、本発明の撮像装置の第２実施形態について説明する。本実施形態では第１実施形態と同様の部分については同一の符号を付して、詳細な説明は省略する。
【００４２】
本実施形態のデジタルカメラ７０の外形は、第１実施形態のデジタルカメラ１０と同様である（図１参照）。
【００４３】
図５にデジタルカメラ７０の制御系の概略ブロック図を示す。デジタルカメラ７０には、第１実施形態のジャイロ２２に代えて上向き検出センサ７２が備えられている。上向き検出センサ７２は、図６に示すように、重り７４及び重り受け壁７６を備える。そして、図７に示すように、ＬＣＤ１８が水平方向から６０°の範囲内であれば、重り７４が重り受け壁７６の上向き範囲内Ｈ１に当接（図６参照）してポストビュー表示要求信号Ｓ２がＣＰＵ５０へ出力される。また、ＬＣＤ１８が水平方向から６０°の範囲外であれば重り７４が重り受け壁７６の上向き範囲外Ｈ２に当接（図６参照）してスルー画像表示要求信号Ｓ３がＣＰＵ５０へ出力される。
【００４４】
その他の構成については、第１実施形態と同様であるため詳細な説明については省略する。
【００４５】
次に、本実施形態の作用について説明する。
【００４６】
ユーザーによる電源オンから動画像の取り込みまでの作用については、第１実施形態と同様である。第２実施形態では、レリーズボタン１６が押下されると、ＣＰＵ５０では、図８に示す、第２撮像表示切換処理が実行される。まず、ステップＳ３２でＡＥ処理が行われ、ステップＳ３４でＡＦ処理が行われる。そして、ステップＳ３６で露光処理が行われて静止画像が取り込まれる。このとき、ＬＣＤ１８には、スルー画像が表示されている。ステップＳ３８で上向き検出センサ７２からポストビュー表示要求信号Ｓ２が入力されるまで待機する。ユーザーは、静止画像の確認を行いたい場合にはＬＣＤ１８を水平方向から６０°の範囲内に向ける。ＬＣＤ１８が水平方向から６０°の範囲内に向けられている場合には上向き検出センサ７２からＣＰＵ５０へポストビュー表示要求信号Ｓ２が出力される。ポストビュー表示要求信号Ｓ２が入力されるとステップＳ４０で表示制御部５４へ表示をポストビュー表示へ切換える旨の指示が出力される。これによりＬＣＤ１８へは取り込まれた静止画像が表示される。ユーザーは、ここで静止画像を確認することができる。ステップＳ４２でさらに上向き検出センサ７２からスルー画像表示要求信号Ｓ３が入力されるまで待機する。ユーザーは、静止画像の確認を継続したい場合にはＬＣＤ１８の方向を維持したままとし、確認を終了したい場合にはＬＣＤ１８の方向を水平方向から６０°の範囲外に向ける。ＬＣＤ１８の方向が水平方向から６０°の範囲外に向けられると、上向き検出センサ７２からＣＰＵ５０へスルー画像表示要求信号Ｓ３が出力される。スルー画像表示要求信号Ｓ３が入力されるとステップＳ４４で表示制御部５４へ表示をスルー画像表示へ切換える旨の指示が出力される。これによりＬＣＤ１８へはスルー画像が表示される。
【００４７】
本実施形態によれば、スルー画像表示とポストビュー表示との間の切換えを、ＬＣＤ１８の向きに応じて行うので、ユーザーは、所望の表示をＬＣＤ１８の向きにより表示させることができる。
【００４８】
なお、本実施形態では、水平方向から６０°の範囲内でポストビュー表示要求信号Ｓ２が出力され、水平方向から６０°の範囲外でスルー画像表示要求信号Ｓ３が出力される例について説明したが、ポストビュー表示要求信号Ｓ２とスルー画像表示要求信号Ｓ３との出力の切換えは、水平方向から６０°の範囲の内外である必要はなく、任意の範囲の内外となる方向とすることができる。
【００４９】
また、本実施形態の第２撮像表示切換処理では、ステップＳ４２でスルー画像表示要求信号Ｓ３が入力されるまで待機したが、ポストビュー表示の後、所定時間の間、ポストビュー表示要求信号Ｓ２またはスルー画像要求信号Ｓ３の入力がない場合に、自動的にスルー画像表示に切換えることもできる。
【００５０】
この場合には、図９に示すように、ステップＳ３６での露光処理の後、ステップＳ４６でポストビュー表示指示を出力する。そして、ステップＳ４７でポストビュー表示要求信号Ｓ２が入力されたかどうかを判断し、判断が肯定された場合にはステップＳ４８へ進む。ステップＳ４７での判断が肯定された場合には、ステップＳ４８で、スルー画像要求信号Ｓ３が入力されたかどうかを判断する。ステップＳ４８での判断が否定された場合にはステップＳ４９へ進み、判断が肯定された場合にはステップＳ５０へ進む。ステップＳ４９では、ポストビュー表示の後所定時間の間、例えば５秒間経過したかどうかを判断し、経過した場合にはステップＳ５０へ進む。ステップＳ５０では、スルー画像表示の指示を出力する。ステップＳ４９での判断が否定された場合、すなわち、ポストビュー表示の後５秒経過していなければ、ステップＳ４７へ戻る。
【００５１】
本処理によれば、ポストビュー表示の後、所定時間の間、ポストビュー表示要求信号Ｓ２またはスルー画像要求信号Ｓ３の入力がない場合に、自動的にスルー画像表示に切換えることができる。
【００５２】
なお、本実施形態では、所定時間として５秒を例に挙げたが、５秒以下の１〜４秒でも、５秒より長い時間でもよい。
【００５３】
［第３実施形態］
次に、本発明の撮像装置の第３実施形態について説明する。本実施形態では第１実施形態及び第２実施形態と同様の部分については同一の符号を付して、詳細な説明は省略する。
【００５４】
本実施形態のデジタルカメラ８０の外形は、第１実施形態のデジタルカメラ１０と同様である（図１参照）。
【００５５】
図１０にデジタルカメラ８０の制御系の概略ブロック図を示す。デジタルカメラ８０には、第２実施形態の上向き検出センサ７２に代えて姿勢検出センサ８２が備えられている。姿勢検出センサ８２は、撮像装置本体としての筐体１２の姿勢を検知可能とされている。ＬＣＤ１８が水平方向から６０°の範囲内の角度であれば、筐体１２の姿勢がポストビュー確認姿勢であるとして、ポストビュー確認信号Ｓ４がＣＰＵ５０へ出力される。また、ＬＣＤ１８が水平方向から６０°の範囲外の角度であれば、筐体１２の姿勢がスルー画像確認姿勢であるとして、スルー画像確認信号Ｓ５がＣＰＵ５０へ出力される。
【００５６】
その他の構成については、第１実施形態及び第２実施形態と同様であるため詳細な説明については省略する。
【００５７】
次に、本実施形態の作用について説明する。
【００５８】
ユーザーによる電源オンから動画像の取り込みまでの作用については、第１実施形態と同様である。第３実施形態では、レリーズボタン１６が押下されると、ＣＰＵ５０では、図１１に示す、第３撮像表示切換処理が実行される。まず、ステップＳ６２でＡＥ処理が行われ、ステップＳ６４でＡＦ処理が行われる。そして、ステップＳ６６で露光処理が行われて静止画像が取り込まれる。このとき、ＬＣＤ１８には、スルー画像が表示されている。ステップＳ６８で姿勢検出センサ８２からポストビュー確認信号Ｓ４が入力されるまで待機する。ユーザーは、静止画像の確認を行いたい場合にはＬＣＤ１８を水平方向から６０°の範囲内の角度、すなわち筐体１２をポストビュー確認姿勢とする。ＬＣＤ１８が水平方向から６０°の範囲内の角度にされている場合には姿勢検出センサ８２からＣＰＵ５０へポストビュー確認信号Ｓ４が出力される。ポストビュー確認信号Ｓ４が入力されるとステップＳ７０で表示制御部５４へ表示をポストビュー表示へ切換える旨の指示が出力される。これによりＬＣＤ１８へは取り込まれた静止画像が表示される。ユーザーは、ここで静止画像を確認することができる。ステップＳ７２でさらに姿勢検出センサ８２からスルー画像確認信号Ｓ５が入力されるまで待機する。ユーザーは、静止画像の確認を継続したい場合には筐体１２の姿勢を維持したままとし、確認を終了したい場合には筐体１２を動かして、ＬＣＤ１８の角度を水平方向から６０°の範囲外、すなわち筐体１２をスルー画像確認姿勢とする。ＬＣＤ１８の角度が水平方向から６０°の範囲外にされると、姿勢検出センサ８２からＣＰＵ５０へスルー画像確認信号Ｓ５が出力される。スルー画像確認信号Ｓ５が入力されるとステップＳ７４で表示制御部５４へ表示をスルー画像表示へ切換える旨の指示が出力される。これによりＬＣＤ１８へはスルー画像が表示される。
【００５９】
本実施形態によれば、スルー画像表示とポストビュー表示との間の切換えを、筐体１２の姿勢に応じて行うので、ユーザーは、所望の表示を筐体１２の姿勢を変化させることにより表示させることができる。
【００６０】
なお、本実施形態では、ＬＣＤ１８の角度が水平方向から６０°の範囲内でポストビュー確認信号Ｓ４が出力され、水平方向から６０°の範囲外でスルー画像確認信号Ｓ５が出力される例について説明したが、ポストビュー確認信号Ｓ４とスルー画像確認信号Ｓ５との出力の切換えは、水平方向から６０°の範囲の内外である必要はなく、任意の範囲の内外となる角度とすることができる。
【００６１】
また、本実施形態の第３撮像表示切換処理では、ステップＳ７２でスルー画像確認信号Ｓ５が入力されるまで待機したが、ポストビュー表示の後、所定時間の間、ポストビュー確認信号Ｓ４またはスルー画像確認Ｓ５の入力がない場合に、自動的にスルー画像表示に切換えることもできる。
【００６２】
この場合には、図１２に示すように、ステップＳ６６での露光処理の後、ステップＳ７６でポストビュー表示指示を出力する。そして、ステップＳ７７でポストビュー確認信号Ｓ４が入力されたかどうかを判断し、判断が肯定された場合にはステップＳ７８へ進み、判断が否定された場合には、ステップＳ７９へ進む。ステップＳ７８では、スルー画像確認信号Ｓ５が入力されたかどうかを判断し、判断が肯定されればステップＳ８０へ進み、判断が否定された場合にはステップＳ７９へ進む。ステップＳ７９では、ポストビュー表示の後所定時間の間、例えば５秒間経過したかどうかを判断し、経過した場合にはステップＳ８０へ進む。ステップＳ８０で、スルー画像表示の指示を出力する。ステップＳ７９での判断が否定された場合、すなわち、ポストビュー表示の後５秒経過していなければ、ステップＳ７７へ戻る。
【００６３】
本処理によれば、ポストビュー表示の後、所定時間の間、ポストビュー確認信号Ｓ４またはスルー画像確認信号Ｓ５の入力がない場合に、自動的にスルー画像表示に切換えることができる。
【００６４】
なお、本実施形態では、所定時間として５秒を例に挙げたが、５秒以下の１〜４秒でも、５秒より長い時間でもよい。
【００６５】
また、上記第１、第２、及び第３実施形態では、撮像装置としてデジタルカメラを例に説明したが、本発明は、他に、カメラ付き携帯電話、デジタルビデオカメラなどのあらゆる撮像装置に適用することができる。
【図面の簡単な説明】
【００６６】
【図１】第１実施形態のデジタルカメラの（Ａ）は前面図であり、（Ｂ）は背面図である。
【図２】第１実施形態のデジタルカメラの制御系の概略ブロック図である。
【図３】第１実施形態のＬＣＤの傾きを示す斜視図である。
【図４】第１撮像表示切換処理のフローチャートである。
【図５】第２実施形態のデジタルカメラの制御系の概略ブロック図である。
【図６】上向き検知センサの概略図である。
【図７】第２実施形態のＬＣＤの方向を示す側面図である。
【図８】第２撮像表示切換処理のフローチャートである。
【図９】第２撮像表示切換処理の変形例のフローチャートである。
【図１０】第３実施形態のデジタルカメラの制御系の概略ブロック図である。
【図１１】第３撮像表示切換処理のフローチャートである。
【図１２】第３撮像表示切換処理の変形例のフローチャートである。
【符号の説明】
【００６７】
１０  デジタルカメラ（撮像装置）
１２  筐体（撮像装置本体）
１８  ＬＣＤ（表示部）
２２  ジャイロ（角度変化検出手段）
５０  ＣＰＵ（第１表示切換え手段、第２表示切換え手段）
７０  デジタルカメラ（撮像装置）
７２  上向き方向検出センサ（方向検出手段）
８０  デジタルカメラ（撮像装置）
８２  姿勢検知センサ（姿勢検出手段）
【図１】
2005286986.tif 000003
【図２】
2005286986.tif 000004
【図３】
2005286986.tif 000005
【図４】
2005286986.tif 000006
【図５】
2005286986.tif 000007
【図６】
2005286986.tif 000008
【図７】
2005286986.tif 000009
【図８】
2005286986.tif 000010
【図９】
2005286986.tif 000011
【図１０】
2005286986.tif 000012
【図１１】
2005286986.tif 000013
【図１２】
2005286986.tif 000014